【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
ＶＲコンテンツの一部の範囲を表示範囲として表示手段に表示するように制御し、前記表示範囲の位置を変更可能な表示制御手段であって、
表示対象のＶＲコンテンツの一部が非映像範囲である場合に、該ＶＲコンテンツの一部の範囲を表示範囲として表示するとともに、前記表示範囲が該ＶＲコンテンツの映像範囲内であって、前記映像範囲の端及び前記非映像範囲を含んでいない場合であっても、該ＶＲコンテンツの前記映像範囲と前記非映像範囲との位置関係を示すガイドを表示するように制御する表示制御手段
を有することを特徴とする電子機器。
【請求項２】
前記ガイドは、前記映像範囲、前記非映像範囲、及び、前記表示範囲の位置関係を示すガイドである
ことを特徴とする請求項１に記載の電子機器。
【請求項３】
前記表示制御手段は、表示対象のＶＲコンテンツに非映像範囲が含まれない場合には前記ガイドを表示しないように制御する
ことを特徴とする請求項１または２に記載の電子機器。
【請求項４】
前記ガイドは、前記表示手段の表示領域における１辺を覆わない表示形態である
ことを特徴とする請求項１乃至３のいずれか１項に記載の電子機器。
【請求項５】
前記ガイドは円状であり、該ガイドの円状の周囲３６０°のうち、前記映像範囲に対応する部分と、前記非映像範囲に対応する部分とを識別可能とした表示形態である
ことを特徴とする請求項１乃至４のいずれか１項に記載の電子機器。
【請求項６】
前記ガイドは更に、前記映像範囲と前記非映像範囲に対する前記表示範囲の位置関係も示す
ことを特徴とする請求項１乃至５のいずれか１項に記載の電子機器。
【請求項７】
前記表示制御手段は更に、表示対象のＶＲコンテンツの一部が非映像範囲である場合に
、前記表示範囲が、該ＶＲコンテンツの映像範囲において、該映像範囲の端を前記表示範囲が含まない位置から該映像範囲の端に達したことに応じて、あるいは、前記表示範囲が該映像範囲の端に達している状態から該端を超える範囲に前記表示範囲を変更しようとする指示があったことに応じて、前記表示範囲が該映像範囲の端に達したことを示す表示アイテムを表示するように制御する
ことを特徴とする請求項１乃至６のいずれか１項に記載の電子機器。
【請求項８】
前記表示制御手段は、前記表示アイテムとして、前記表示手段の表示領域における１辺を覆わない表示アイテムを表示するように制御する
ことを特徴とする請求項７に記載の電子機器。
【請求項９】
ＶＲコンテンツの一部の範囲を表示範囲として表示手段に表示するように制御し、前記表示範囲の位置を変更可能な表示制御手段であって、
表示対象のＶＲコンテンツの一部が非映像範囲である場合に、前記表示範囲が、該ＶＲコンテンツの映像範囲において、該映像範囲の端から所定量よりも離れている位置から、該映像範囲の端から所定量以内の位置に変更されたことに応じて、変更後の表示範囲が該ＶＲコンテンツの前記映像範囲内であって、前記映像範囲の端及び前記非映像範囲を含んでいない場合であっても、ユーザーへの通知を行うように制御する表示制御手段
を有することを特徴とする電子機器。
【請求項１０】
前記表示制御手段は更に、表示対象のＶＲコンテンツの一部が非映像範囲である場合に、前記表示範囲が、該ＶＲコンテンツの映像範囲において、該映像範囲の端から所定量よりも離れている位置から、該映像範囲の端から所定量以内の位置に変更されたことに応じて、変更後の表示範囲が該ＶＲコンテンツの前記映像範囲内であって、前記映像範囲の端及び前記非映像範囲を含んでいない場合であっても、ユーザーへの通知を行うように制御する
ことを特徴とする請求項１乃至８のいずれか１項に記載の電子機器。
【請求項１１】
前記表示制御手段は、前記通知として、前記ＶＲコンテンツの映像範囲と非映像範囲との位置関係を示すガイドを表示するように制御する
ことを特徴とする請求項９または１０に記載の電子機器。
【請求項１２】
前記表示制御手段は、前記通知として、前記ＶＲコンテンツの映像範囲と非映像範囲との位置関係を示すガイドの表示形態を変更するように制御する
ことを特徴とする請求項９または１０に記載の電子機器。
【請求項１３】
前記電子機器の姿勢を検出する検出手段を更に有し、
前記表示制御手段は、前記検出手段で検出された姿勢に応じて前記表示範囲の位置を変更する
ことを特徴とする請求項１乃至１２のいずれか１項に記載の電子機器。
【請求項１４】
前記表示制御手段は、ユーザーからの操作に応じて前記表示範囲の位置を変更する
ことを特徴とする請求項１乃至１２のいずれか１項に記載の電子機器。
【請求項１５】
ＶＲコンテンツの一部の範囲を表示範囲として表示手段に表示するように制御し、前記表示範囲の位置を変更可能な表示制御ステップであって、
表示対象のＶＲコンテンツの一部が非映像範囲である場合に、該ＶＲコンテンツの一部の範囲を表示範囲として表示するとともに、前記表示範囲が該ＶＲコンテンツの映像範囲内であって、前記映像範囲の端及び前記非映像範囲を含んでいない場合であっても、該ＶＲコンテンツの前記映像範囲と前記非映像範囲との位置関係を示すガイドを表示するよう
に制御する表示制御ステップ
を有することを特徴とする電子機器の制御方法。
【請求項１６】
ＶＲコンテンツの一部の範囲を表示範囲として表示手段に表示するように制御し、前記表示範囲の位置を変更可能な表示制御ステップであって、
表示対象のＶＲコンテンツの一部が非映像範囲である場合に、前記表示範囲が、該ＶＲコンテンツの映像範囲において、該映像範囲の端から所定量よりも離れている位置から、該映像範囲の端から所定量以内の位置に変更されたことに応じて、変更後の表示範囲が該ＶＲコンテンツの前記映像範囲内であって、前記映像範囲の端及び前記非映像範囲を含んでいない場合であっても、ユーザーへの通知を行うように制御する表示制御ステップ
を有することを特徴とする電子機器の制御方法。
【請求項１７】
コンピュータを、請求項１乃至１４のいずれか１項に記載された電子機器の各手段として機能させるためのプログラム。
【請求項１８】
コンピュータを、請求項１乃至１４のいずれか１項に記載された電子機器の各手段として機能させるためのプログラムを格納したコンピュータが読み取り可能な記憶媒体。
【手続補正２】
【補正対象書類名】明細書
【補正対象項目名】０００８
【補正方法】変更
【補正の内容】
【０００８】
本発明の電子機器は、ＶＲコンテンツの一部の範囲を表示範囲として表示手段に表示するように制御し、前記表示範囲の位置を変更可能な表示制御手段であって、表示対象のＶＲコンテンツの一部が非映像範囲である場合に、該ＶＲコンテンツの一部の範囲を表示範囲として表示するとともに、前記表示範囲が該ＶＲコンテンツの映像範囲内であって、前記映像範囲の端及び前記非映像範囲を含んでいない場合であっても、該ＶＲコンテンツの前記映像範囲と前記非映像範囲との位置関係を示すガイドを表示するように制御する表示制御手段、を有することを特徴とする。
【手続補正３】
【補正対象書類名】明細書
【補正対象項目名】００３３
【補正方法】変更
【補正の内容】
【００３３】
なお、有効映像範囲５０１の端は、有効映像範囲５０１と無効映像範囲５０２との境界に接する部分である。距離ａ１〜ａ４のいずれかが、閾値となる距離Ａｔｈ以下となった場合はＳ４０６に進み、そうでない場合はＳ４０５に進む。閾値Ａｔｈは例えば表示範囲５０３の横方向の幅の３割程度の長さであり、距離ａ１〜ａ４のいずれかが閾値Ａｔｈ以下となった場合は、それ以上同じ方向に表示範囲を移動させると、そろそろ有効映像範囲の端に達することを示している。なお、ここでは、２次元平面図を用いて説明したためにＳ４０４の処理の説明として距離を閾値と比較する例を説明したがこれに限るものではない。暫定表示範囲５０４と有効映像範囲５０１の端が近くなってきたかを判定できればよく、有効映像範囲５０１の端を示す角度と暫定表示範囲５０４の端を示す角度との角度差を閾値と比較するようにしてもよい。また、距離ａ１〜ａ４の全てを閾値となる距離Ａｔｈと比較する例を説明したが、これに限るものではない。例えば、距離ａ１〜ａ４のうち最も短い距離だけを距離Ａｔｈと比較し、距離Ａｔｈ以下となった場合にＳ４０６に進み
、そうでない場合にＳ４０５に進むようにしてもよい。また、距離ａ１〜ａ４のうち、姿勢変化前の表示範囲５０３から姿勢変化後に算出した暫定表示範囲５０４への移動方向に応じて、暫定表示範囲５０４の端が有効映像範囲の端から離れる方向の距離は判定に用いなくてもよい。図示の例では、距離ａ３については閾値Ａｔｈと比較しなくともよい。また、距離ａ１〜ａ４を全て同じ閾値Ａｔｈと比較するのではなく、距離ａ１〜ａ４ごとに異なる閾値と比較するようにしてもよい。例えば左右方向の距離ａ１、ａ３は距離Ａｔｈ１と比較し、距離Ａｔｈ１以下となった場合にＳ４０６に進むようにする。上下方向の距離距ａ２、ａ４は距離Ａｔｈ２（＜Ａｔｈ１）と比較し、距離Ａｔｈ２以下となった場合にＳ４０６に進むようにする。そして、それら以外の場合にＳ４０５に進むようにする。このようにすれば、以降の処理により、人間が首を大きく動かしやすい方向である左右方向の姿勢の変化の場合は、上下方向の姿勢の変化の場合よりも早めに、表示範囲が有効映像範囲の端に達しそうであることをユーザーに注意喚起することができる。
【手続補正４】
【補正対象書類名】明細書
【補正対象項目名】００３５
【補正方法】変更
【補正の内容】
【００３５】
図５（ａ１）に、Ｓ４０５の状況におけるＶＲ画像中の表示範囲５０３の位置関係を、図５（ａ２）にこの場合の表示例を示す。なお、図５（ａ１）に図示された暫定表示範囲５０４は、Ｓ４０５で表示される表示範囲５０３から更に右回りの姿勢の変化があった場合に算出される暫定表示範囲の例である。そのため、Ｓ４０５では図５（ａ１）に図示された位置の暫定表示範囲５０４は取得されていないものとする。表示範囲５０３の右端と有効映像範囲５０１の右端との距離は閾値Ａｔｈよりも大きく、距離が離れている（他の距離についても同様である）。図５（ａ２）は、図５（ａ１）における表示範囲５０３に対応する位置をディスプレイ１０５にＶＲ表示した場合の表示例である。後述する範囲ガイド５１０は表示しないため、ＶＲ画像の視認を妨げない。
【手続補正５】
【補正対象書類名】明細書
【補正対象項目名】００３６
【補正方法】変更
【補正の内容】
【００３６】
Ｓ４０６では、ＣＰＵ１０１は、暫定表示範囲５０４のいずれかの端（辺）が、有効映像範囲の一端に達したか否かを判定する。これはすなわち、距離ａ１〜ａ４のいずれかがゼロとなったか否かの判定である。暫定表示範囲５０４のいずれかの端（辺）が、有効映像範囲の一端に達した場合はＳ４０８に進み、そうでない場合はＳ４０７に進む。
【手続補正６】
【補正対象書類名】明細書
【補正対象項目名】００６５
【補正方法】変更
【補正の内容】
【００６５】
図７のＶＲ表示処理によれば、無効映像範囲の幅が閾値Ｃｔｈより小さい場合には、暫定表示範囲が有効映像範囲の端を超える姿勢変化があっても表示範囲の移動は停止することはない。図７のＶＲ表示処理によれば、このような場合に、ブランク領域の表示を経由して逆端の有効映像範囲まで滑らかに表示範囲を移動させることができる。一方、無効映
像範囲の幅が閾値Ｃｔｈ以上である場合には、暫定表示範囲が有効映像範囲の端に達すると、それ以上同じ方向に姿勢変化があっても表示範囲は移動すること無く停止する。このように、無効映像範囲の幅が閾値Ｃｔｈより小さいか否かに応じて、表示範囲の端を超えたブランク領域を表示するか、ブランク領域を表示せずに表示範囲が停止するかが異なる。
【手続補正７】
【補正対象書類名】明細書
【補正対象項目名】００６７
【補正方法】変更
【補正の内容】
【００６７】
電子機器１００をＶＲゴーグルに装着してユーザーが正面を向いた場合に有効映像範囲の中央が表示範囲になる場合には、無効映像範囲の中央はユーザーから見て背後ということになる。無効映像範囲が狭い場合（無効映像範囲の幅が閾値Ｃｔｈ未満である場合）には背後にも有効映像範囲があり、ユーザーが背後を振り返る意味がある。しかし、無効映像範囲が広い場合（無効映像範囲の幅が閾値Ｃｔｈ以上である場合）には、ユーザーの背後には有効映像範囲が存在せず、ユーザーが背後を振り返る意味は少ない。また、有効映像範囲の右端が表示される右斜め後ろを見ている状態から、有効映像範囲の逆端が表示される左斜め後ろを見るには、背後を振り返ってさらに右回りに視線を移動するよりも、左回りで正面を経由して視線を移動するほうが人体の構造上、楽に行える。従って図７で説明した処理のように、無効映像範囲が広く、背後を振り返る意味が少ない場合には、早期に表示範囲の移動を停止し、それ以上ユーザーが背後を向こうとしないように誘導する。これによって、背後を振り返るといった行い難い動作を無駄に行わせてしまうことを防止し、快適にＶＲ表示を視認させることができる。